(57)【要約】【課題】薄暗い内視鏡検査室内等において給水ボトル内の貯留水の残量をいつでも容易に確認することができるようにした内視鏡用送水装置を提供すること。【解決手段】内視鏡の挿入部先端から噴出させるための水を貯留する半透明又は透明な給水ボトル２０が筐体の側壁１３の外面に取り付けられた内視鏡用送水装置において、給水ボトル２０が筐体の側壁１３に取り付けられた状態のときに給水ボトル２０の貯水部を側方から照明する照明手段１４が筐体の側壁１３部分に設けられている。【選択図】      図１
2006110020.tif 000002
【特許請求の範囲】
【請求項１】
内視鏡の挿入部先端から噴出させるための水を貯留する半透明又は透明な給水ボトルが筐体の側壁の外面に取り付けられた内視鏡用送水装置において、
上記給水ボトルが上記筐体の側壁に取り付けられた状態のときに上記給水ボトルの貯水部を側方から照明する照明手段が上記筐体の側壁部分に設けられていることを特徴とする内視鏡用送水装置。
【請求項２】
上記照明手段として、複数の発光ダイオードが鉛直方向に並んだ状態に配置されている請求項１記載の内視鏡用送水装置。
【請求項３】
上記複数の発光ダイオードとして、発光色の相違する発光ダイオードが用いられている請求項２記載の内視鏡用送水装置。
【請求項４】
上記給水ボトルの水面位置を表示する目安となる指標が、上記発光ダイオードと並んで上記筐体の側壁部分に設けられている請求項１、２又は３記載の内視鏡用送水装置。
【発明の詳細な説明】
【技術分野】
【０００１】
この発明は内視鏡用送水装置に関する。
【背景技術】
【０００２】
内視鏡は一般に、観察窓の表面を洗浄するための水を挿入部の先端から噴出させることができるように構成されていて、その水を貯留するための給水ボトルが光源装置の筐体の側壁の外面に取り付けられている（例えば、特許文献１）。
【特許文献１】特公平１−４６１４１  第１図
【発明の開示】
【発明が解決しようとする課題】
【０００３】
そのような状態で内視鏡検査室内で用いられる給水ボトルは、一般に、光を透かして見ることにより貯留水の残量を視認することができるよう、半透明のプラスチック等により形成されている。
【０００４】
しかし、内視鏡検査が行われている間は、内視鏡検査室が薄暗い環境にされて給水ボトル内の貯水量の残量を確認することができないケースが大半であり、観察窓を洗浄している最中に突然水切れになって、内視鏡検査が大事なところで中断されてしまう場合があった。
【０００５】
そこで本発明は、薄暗い内視鏡検査室内等において給水ボトル内の貯留水の残量をいつでも容易に確認することができるようにした内視鏡用送水装置を提供することを目的とする。
【課題を解決するための手段】
【０００６】
上記の目的を達成するため、本発明の内視鏡用送水装置は、内視鏡の挿入部先端から噴出させるための水を貯留する半透明又は透明な給水ボトルが筐体の側壁の外面に取り付けられた内視鏡用送水装置において、給水ボトルが筐体の側壁に取り付けられた状態のときに給水ボトルの貯水部を側方から照明する照明手段が筐体の側壁部分に設けられているものである。
【０００７】
なお、照明手段として、複数の発光ダイオードが鉛直方向に並んだ状態に配置されていてもよく、その場合、発光色の相違する発光ダイオードが用いられていると水面位置の判断が容易になる。
【０００８】
また、給水ボトルの水面位置を表示する目安となる指標が、複数の発光ダイオードと並んで筐体の側壁部分に設けられていてもよい。
【発明の効果】
【０００９】
本発明の内視鏡用送水装置によれば、給水ボトルが筐体の側壁に取り付けられた状態のときに給水ボトルの貯水部を側方から照明する照明手段が筐体の側壁部分に設けられていることにより、薄暗い内視鏡検査室内等において給水ボトル内の貯留水の残量をいつでも容易に確認することができるので、適当なタイミングで水を補充して、内視鏡検査が大事なところで中断されないようにすることができる。
【発明を実施するための最良の形態】
【００１０】
内視鏡の挿入部先端から噴出させるための水を貯留する半透明又は透明な給水ボトルが筐体の側壁の外面に取り付けられた内視鏡用送水装置において、給水ボトルが筐体の側壁に取り付けられた状態のときに給水ボトルの貯水部を側方から照明する照明手段が筐体の側壁部分に設けられている。
【実施例】
【００１１】
図面を参照して本発明の実施例を説明する。
図１は、本発明の実施例の光源装置１０に内視鏡のコネクタ１が接続された状態を略示しており、光源装置１０に対して着脱自在なコネクタ１は、図示されていない内視鏡の操作部から延出する可撓性連結管２の先端に取り付けられている。
【００１２】
コネクタ１から突設されたライトガイド接続ロッド３は光源装置１０側に差し込まれ、光源装置１０内に配置されている光源ランプ１１の集光位置にライトガイドファイババンドルの入射端面が位置する状態になる。
【００１３】
４と５は、先端が内視鏡の挿入部先端において観察窓の表面に向けて開口するように内視鏡内に配管された送気管と送水管であり、その途中の操作部に配置されている操作弁によって開閉操作される。送気管４と送水管５の基端は共に、コネクタ１の側面に配置された接続口金６に接続されている。
【００１４】
光源装置１０内には送気ポンプ１２が配置されており、その出口孔１２ａは光源装置１０の筐体の側壁１３の上半部に開口し、その下方位置に、送水管５に送り込むための水を貯留する給水ボトル２０が配置されている。
【００１５】
給水ボトル２０は、半透明又は透明のプラスチック材料等により形成されていて、その上端部に螺合等により着脱自在に取り付けられたボトル蓋２１から上方に向かって、給気管２３の内側に給水管２４を配した構造の二重チューブが延出している。
【００１６】
そのような給水管２４の内端部は給水ボトル２０内の底面近傍に開口する状態に配置されており、給気管２３から側方に分岐する状態に突設された剛性パイプ材からなる送気受けパイプ２２が送気ポンプ１２の出口孔１２ａに差し込まれている。
【００１７】
給気管２３と給水管２４の外端側はコネクタ１の接続口金６に対して着脱自在になっている。なお、送気受けパイプ２２をボトル蓋２１の位置から突設させると給水ボトル２０の吊持上安定感があり、図２以下ではそのようにした構成を図示してある。
【００１８】
このような構成により、送気ポンプ１２から送り出された加圧空気が給気管２３を通って内視鏡の送気管４に送り出されると同時に、給水ボトル２０内が加圧空気で加圧されることにより、給水ボトル２０内に貯留されている水が給水管２４を通って内視鏡の送水管５に送り出され、図示されていない観察窓の表面に向かって空気や水を噴出させることができる。
【００１９】
なお、送気受けパイプ２２が送気ポンプ１２の出口孔１２ａに差し込まれることにより、給水ボトル２０が送気受けパイプ２２から吊り下げられた状態に光源装置１０の筐体の側壁１３の外面に沿って支持され、送気受けパイプ２２を出口孔１２ａから抜き出すことにより、給水ボトル２０が光源装置１０に対して自由な状態になり、給水ボトル２０からボトル蓋２１を取り外して給水ボトル２０内に水を補充することができる。
【００２０】
そしてこの実施例においては、給水ボトル２０が光源装置１０の筐体の側壁１３に取り付けられた状態のときに給水ボトル２０の貯水部が側方から照明されるように、複数の発光ダイオード１４（照明手段）が、各々側方に向けて筐体の側壁１３に鉛直方向に並んだ状態に配置されている。
【００２１】
図２、図３及び図４は、光源装置１０の正面図、側面図及び平面部分断面図であり、１５は、送気受けパイプ２２から吊り下げられた状態の給水ボトル２０が横振れをしないよう、給水ボトル２０の側面に当接する位置に光源装置１０の筐体の側壁１３から突設された突起である。
【００２２】
この実施例においては、６個の発光ダイオード１４が均等の間隔で真横に向けて発光する状態に光源装置１０の筐体の側壁１３に配置されていて、一番下の位置の発光ダイオード１４ａは給水ボトル２０の底面付近に配置されている。
【００２３】
図４に示されるように、給水ボトル２０は、各発光ダイオード１４から射出された光がほとんど外部に漏れることなく給水ボトル２０の外面に当たる状態になる位置に配置されている。この実施例では、発光ダイオード１４の配置位置で、給水ボトル２０の外壁面が光源装置１０の筐体の側壁１３に当接している。
【００２４】
その結果、半透明又は透明な給水ボトル２０の外壁を通してその内部が照明され、薄暗い内視鏡室内においても、給水ボトル２０内の貯留水の水面位置を容易に視認することができると同時に、外部への漏光が少なくて内視鏡検査の妨げにならない。
【００２５】
なお、図５に示されるように光源装置１０内の貯留水の水面位置を表示する目安となる指標１６を発光ダイオード１４と並んで光源装置１０の筐体の側壁１３に設ければ、給水ボトル２０内の水の残量判断がより容易になる。
【００２６】
また、図６に示されるように、例えば一番下の発光ダイオード１４ａを赤色、その次の発光ダイオード１４ｂを黄色、他の発光ダイオード１４を青色とする等、複数の発光ダイオード１４として発光色の相違する発光ダイオードを用いることによっても、給水ボトル２０内の水の残量判断をより容易に行うことができる。
【００２７】
なお、本発明は上記実施例に限定されるものではなく、例えば設けられる発光ダイオード１４が一個であっても差し支えなく、発光ダイオード１４に変えて他の照明手段を用いても差し支えない。
【００２８】
また、給水ボトル２０が取り付けられる送水装置が、光源装置１０の場合以外の例えばビデオプロセッサや専用の送気ポンプユニット等であっても本発明を適用することができる。
【図面の簡単な説明】
【００２９】
【図１】本発明の第１の実施例の光源装置に内視鏡のコネクタが接続された状態の側面略示断面図である。
【図２】本発明の第１の実施例の光源装置の正面図である。
【図３】本発明の第１の実施例の光源装置の（給水ボトルは仮想線で示す）側面図である。
【図４】本発明の第１の実施例の光源装置の一部を断面で示す平面部分断面図である。
【図５】本発明の第２の実施例の光源装置の（給水ボトルは仮想線で示す）側面図である。
【図６】本発明の第３の実施例の光源装置の（給水ボトルは仮想線で示す）側面図である。
【符号の説明】
【００３０】
１０  光源装置（送水装置）
１２  送気ポンプ
１２ａ  出口孔
１３  筐体の側壁
１４  発光ダイオード（照明手段）
１４ａ  一番下の発光ダイオード
１６  指標
２０  給水ボトル
２１  ボトル蓋
２２  送気受けパイプ
２３  給気管
２４  給水管
【図１】
2006110020.tif 000003
【図２】
2006110020.tif 000004
【図３】
2006110020.tif 000005
【図４】
2006110020.tif 000006
【図５】
2006110020.tif 000007
【図６】
2006110020.tif 000008